(57)【特許請求の範囲】
【請求項１】
標準時刻電波信号を受けて時刻修正を行う電波修正時計用に、時刻コードを含む電波信号を中継する時刻信号中継装置であって、
上記標準時刻電波信号を受信し、受信電波信号が含む時刻コードに応じた時刻に内部時計を修正する受信系回路と、
あらかじめ決められた複数の時間に、それぞれ上記内部時計に基づいた時刻コードを含み、強度が異なる時刻電波信号を生成して送信する送信系回路と
を有する時刻信号中継装置。
【請求項２】
上記送信系回路は、第１の時間に第１の強度の時刻電波信号を生成して送信し、
第２の時間に上記第１の強度より大きい第２の強度の時刻電波信号を生成して送信する
請求項１記載の時刻信号中継装置。
【請求項３】
標準時刻電波信号または標準時刻電波信号を中継して得られた電波信号を受け、受信信号が含む時刻コードに応じた時刻に修正する電波修正時計と、
上記標準時刻電波信号を受信し、受信電波信号が含む時刻コードに応じた時刻に内部時計を修正する受信系回路と、あらかじめ決められた複数の時間に、それぞれ上記内部時計に基づいた時刻コードを含み、強度が異なる時刻電波信号を生成して送信する送信系回路とを備えた時刻信号中継装置と
を有する時刻修正システム。
【請求項４】
上記時刻信号中継装置の送信系回路は、第１の時間に第１の強度の時刻電波信号を生成して送信し、
第２の時間に上記第１の強度より大きい第２の強度の時刻電波信号を生成して送信する
請求項３記載の時刻修正システム。
【請求項５】
上記電波修正時計は、上記時刻信号中継装置から上記第１の時間に送信された第１の強度の時刻電波信号をデコードし、時刻化が可能である場合には、デコードした時刻への修正を行い、上記第２の時間に送信される第２の強度の時刻電波信号の受信を行わず、
上記時刻信号中継装置から上記第１の時間に送信された第１の強度の時刻電波信号をデコードし、時刻化が不可能である場合には時刻の修正を行わず、上記第２の時間に送信される第２の強度の時刻電波信号の受信を行う
請求項４記載の時刻修正システム。
【発明の詳細な説明】
【０００１】
【発明の属する技術分野】
本発明は、電波信号を受けて時刻修正を行う電波修正時計用に、時刻コードを含む電波信号を中継する時刻信号中継装置および時刻修正システムに関するものである。
【０００２】
【従来の技術】
電波修正時計は、たとえば日本標準時を高精度で伝える長波（４０ｋＨｚ）の標準時刻電波を受信し、受信電波に基づいて時刻修正を行って正確な時刻を表示する。
【０００３】
この種の電波修正時計は、標準時刻電波信号を受信する受信系回路と、受信信号に基づいて指針駆動系を駆動して時刻修正を行う制御回路とを内蔵しており、時刻修正モードにおいて、指針位置が受信した電波信号の時刻コードに応じた位置に修正される。
【０００４】
ところで、電波修正時計は、標準時刻電波の受信専用であり、電波の届きにくい設置場所、たとえば鉄骨住宅内や地下室などの屋内では、受信不能となることが多い。
そこで、電波修正時計の設置場所の制限を解消するために、標準時刻電波信号を受信し、この受信した時刻信号を所定の搬送波で変調して送信する時刻信号中継装置を設け、中継装置から送信した信号を電波修正時計で受信させて時刻修正を行うようしたものが提案されている（たとえば、特開平５−３３３１７０号公報  参照）。
【０００５】
【発明が解決しようとする課題】
ところで、上述したような時刻信号中継装置の場合、生成した時刻電波信号は所定の電界強度をもって送信する。
しかしながら、時刻信号中継装置の時刻電波信号を遠くに設置される電波修正時計において正常に受信できる電界強度で送信する場合、比較的近くに設置される電波修正時計では、電界強度が大きすぎて、いわゆる入力飽和を起こし時刻信号中継装置による時刻電波信号を正常に受信できなくなる可能性がある。
この場合、比較的近くに設置される電波修正時計では、指向性の悪い向きに配置する必要があり、煩雑な手間を要する。
【０００６】
本発明は、かかる事情に鑑みてなされたものであり、その目的は、煩雑な手間を要せず、電波修正時計の配置位置にかかわりなく中継電波を受信可能とする時刻信号中継装置および時刻修正システムを提供することにある。
【０００７】
【課題を解決するための手段】
上記目的を達成するため、本発明は、標準時刻電波信号を受けて時刻修正を行う電波修正時計用に、時刻コードを含む電波信号を中継する時刻信号中継装置であって、上記標準時刻電波信号を受信し、受信電波信号が含む時刻コードに応じた時刻に内部時計を修正する受信系回路と、あらかじめ決められた複数の時間に、それぞれ上記内部時計に基づいた時刻コードを含み、強度が異なる時刻電波信号を生成して送信する送信系回路とを有する。
【０００８】
また、本発明の時刻修正システムは、標準時刻電波信号または標準時刻電波信号を中継して得られた電波信号を受け、受信信号が含む時刻コードに応じた時刻に修正する電波修正時計と、上記標準時刻電波信号を受信し、受信電波信号が含む時刻コードに応じた時刻に内部時計を修正する受信系回路と、あらかじめ決められた複数の時間に、それぞれ上記内部時計に基づいた時刻コードを含み、強度が異なる時刻電波信号を生成して送信する送信系回路とを備えた時刻信号中継装置とを有する。
【０００９】
また、本発明では、上記時刻信号中継装置の送信系回路は、第１の時間に第１の強度の時刻電波信号を生成して送信し、第２の時間に上記第１の強度より大きい第２の強度の時刻電波信号を生成して送信する。
【００１０】
また、本発明では、上記電波修正時計は、上記時刻信号中継装置から上記第１の時間に送信された第１の強度の時刻電波信号をデコードし、時刻化が可能である場合には、デコードした時刻への修正を行い、上記第２の時間に送信される第２の強度の時刻電波信号の受信を行わず、上記時刻信号中継装置から上記第１の時間に送信された第１の強度の時刻電波信号をデコードし、時刻化が不可能である場合には時刻の修正を行わず、上記第２の時間に送信される第２の強度の時刻電波信号の受信を行う。
【００１１】
本発明によれば、電波発信基地から、所定のフォーマットを有する長波（たとえば４０ｋＨｚ）の標準時刻電波が発信される。
電波発信基地から発信された標準時刻電波信号は、時刻信号中継装置および電波修正時計で受信される。
時刻信号中継装置においては、受信系回路で標準時刻電波が受信され、受信した電波が含む時刻コードに応じた時刻に内部時計が修正される。
そして、あらかじめ決められた複数の送信時刻になると、内部時計に基づいた時刻コードを含み、それぞれ強度が異なる時刻電波信号が生成されて、電波修正時計に送信される。
たとえば第１の時間には、第１の強度の時刻電波信号が生成されて送信される。そして、所定時間後の第２の時間には、たとえば第１の強度より大きい第２の強度の時刻電波信号が生成されて送信される。
【００１２】
電波修正時計では、標準時刻電波信号または時刻信号中継装置から定刻に送信された電波信号が含む時刻コードに従って時刻修正が行われる。
このとき、たとえば時刻信号中継装置から第１の時間に送信された第１の強度の時刻電波信号をデコードした結果、時刻化が可能である場合（この場合、電波修正時計は時刻信号中継装置から比較的至近距離に配置されている）、たとえば指針位置がデコードした時刻に応じた位置に修正される。この場合には、第２の時間に送信される第２の強度の時刻電波信号の受信は行われない。
また、時刻信号中継装置から第１の時間に送信された第１の強度の時刻電波信号をデコードした結果、時刻化が不可能である場合には指針位置の修正は行われず、第２の時間に送信される第２の強度の時刻電波信号の受信が行われる（この場合、電波修正時計は時刻信号中継装置から遠い位置に配置されている）。
そして、たとえば第２の強度の時刻電波信号をデコードした結果、時刻化が可能である場合には、指針位置がデコードした時刻に応じた位置に修正される。
【００１３】
【発明の実施の形態】
図１は、本発明に係る時刻信号中継装置を適用した時刻修正システムの一実施形態を示すブロック図である。
【００１４】
本時刻修正システムは、図１に示すように、長波（４０ｋＨｚ）の標準時刻電波を発信する電波発信基地（以下、キー局という）１、時刻信号中継装置２、および電波修正時計３により構成されている。
【００１５】
キー局１は、図２（ａ）に示すようなフォーマットを有する長波（４０ｋＨｚ）の標準時刻電波Ｓ１をＡＭ変調して発信する。
キー局１から発信される日本標準時を高精度で伝える長波（４０ｋＨｚ）の標準時刻電波Ｓ１のフォーマットは、具体的には、「１」信号の場合には１秒（ｓ）の間に５００ｍｓ（０．５ｓ）だけ４０ｋＨｚの信号が送られ、「０」信号の場合には１秒（ｓ）の間に８００ｍｓ（０．８ｓ）だけ４０ｋＨｚの信号が送られ、「Ｐ」信号（同期信号）の場合には１秒（ｓ）の間に２００ｍｓ（０．２ｓ）だけ４０ｋＨｚの信号が送られる。
図２（ａ）は、データが（１，０，１）の場合の波形例を示している。
【００１６】
図３は、標準時刻電波信号の時刻コードの一例を示している。
現在の日本の長波標準電波は、郵政省通信総合研究所（ＣＲＬ）の運用のもとで、福島県より送信されており、送信情報は、分・時・１月１日からの積算日となっている。
【００１７】
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データなどの時刻データはこの正分位置を基準としてフレーム中の位置が決まっているためこの正分位置の検出を行わないと時刻データを取り出すことはできない。
【００１８】
次に、長波標準電波について説明する。
【００１９】
現在の標準電波は以前（実験局当時）の送信データに加え、年下２桁、曜、分パリティ、時パリティ、サマータイム導入の際に使用予定である予備ビット、うるう秒が追加された（図３（ａ）参照）。また、毎時１５分、４５分には電波の送信を中断する停波情報も付加された（図３（ｂ）参照）。以下にこれら新設された情報のうち、特に予備ビット、うるう秒情報、停波情報について説明する。
【００２０】
予備ビットは表１に示される如く、ＳＵ１、ＳＵ２を使用する。これらは将来の情報拡張のために用意されたものである。サマータイム情報でこのビットが活用されるときは、ＳＵ１＝ＳＵ２＝０では「６日以内に夏時間への変更無し」、ＳＵ１＝１・ＳＵ２＝０では「６日以内に夏時間への変更有り」、ＳＵ１＝０・ＳＵ２＝１では「夏時間実施中」、ＳＵ１＝ＳＵ２＝１では「６日以内に夏時間終了」となるような情報形態となっている。夏時間への切り替わりについては日本ではまだサマータイムが導入されておらず、未だ不明の状態であるが欧州のサマータイムの切り替わりを見ると、夜中のうちに行っている場合が多い。
【００２１】
【表１】
0003650554.tif 000002
【００２２】
次にうるう秒は表２に示される如く、ＬＳ１、ＬＳ２の２ビットを使用し、ＬＳ１＝ＬＳ２＝０では「１ヶ月以内にうるう秒の補正を行わない」、ＬＳ１＝１・ＬＳ２＝０では「１ヶ月以内に負のうるう秒（削除）あり」つまり１分間が５９秒となり、ＬＳ＝ＬＳ＝１では「１ヶ月以内に正のうるう秒（挿入）あり」つまり１分間が６１秒となるような情報形態となっている。うるう秒の補正のタイミングは既に決められており、ＵＴＣ時刻の１月１日もしくは７月１日の直前に行われることになっている。よって、日本時間（ＪＴＣ）では１月１日もしくは７月１日午前９：００直前に行われることになる。
【００２３】
【表２】
0003650554.tif 000003
【００２４】
停波情報は表３の（ａ）、（ｂ）、（ｃ）に示される如く、ＳＴ１、ＳＴ２、ＳＴ３、ＳＴ４、ＳＴ５、ＳＴ６を使用し、ＳＴ１・ＳＴ２・ＳＴ３で停波開始予告、ＳＴ４で停波時間帯予告、ＳＴ５・ＳＴ６で停波期間予告の停波情報を提供する。まず停波開始予告について説明すると、ＳＴ１＝ＳＴ２＝ＳＴ３＝０では「停波予定無し」、ＳＴ１＝ＳＴ２＝０・ＳＴ３＝１では「７日以内に停波」、ＳＴ１＝０・ＳＴ２＝１・ＳＴ３＝０では「３から６日以内に停波」、ＳＴ１＝０・ＳＴ２＝ＳＴ３＝１では「２日以内に停波」、ＳＴ１＝１・ＳＴ２＝ＳＴ３＝０では「２４時間以内に停波」、ＳＴ１＝１・ＳＴ２＝０・ＳＴ３＝１では「１２時間以内に停波」、ＳＴ１＝ＳＴ２＝１・ＳＴ３＝０では「２時間以内に停波」となっている。次に停波時間帯予告は、ＳＴ４＝１では「昼間のみ」、ＳＴ４＝０では「終日、または停波予定無し」である。次に停波期間予告は、ＳＴ５＝ＳＴ６＝０では「停波予定無し」、ＳＴ５＝０・ＳＴ６＝１では「７日以上停波、または期間不明」、ＳＴ５＝１・ＳＴ６＝０では「２から６日以内で停波。ＳＴ５＝ＳＴ６＝１では「２日未満で停波」となっている。
【００２５】
【表３】
0003650554.tif 000004
【００２６】
以上、郵政省通信総合研究所（ＣＲＬ）が運用管理している長波の標準時刻情報を含む電波による送信情報については詳述した如く、標準時刻情報以外に予備ビットによる情報、うるう秒情報、停波情報も送信情報に含まれる。
【００２７】
時刻信号中継装置２は、キー局１からＡＭ変調されて発信された所定周波数（４０ｋＨｚ）の時刻コードを含む標準時刻電波信号Ｓ１を受信し、受信した標準時刻電波信号が含む時刻コードに応じた時刻に内部時計を修正し、あらかじめ決められた第１および第２の送信時間帯においては、それぞれ標準時刻電波信号と同じ周波数帯域に含まれる周波数４０ｋＨｚを有し、かつベースバンド信号と同一フォーマットを持ち、修正後の内部時計に基づいて時刻コードを含み、かつ電界強度が異なる第１の強度の時刻電波信号Ｓ２ａおよび第２の強度の時刻電波信号Ｓ２ｂを生成し、たとえば屋内の至近距離あるいは遠くに離れた位置に設置される電波修正時計３に送信する。
本実施形態では、たとえば第１の時間は午前２時３８分に設定され、第２の時間は午前２時４８分に設定される。
そして、第１の時間に送信する時刻電波信号Ｓ２ａの第１の強度は−２０〜３０ｄＢであり、第２の時間に送信する時刻電波信号Ｓ２ｂの第２の強度は第１の時間に送信する時刻電波信号Ｓ２ａより大きい−３ｄＢである。
【００２８】
時刻信号中継装置２は、具体的には、図１に示すように、受信アンテナ２０ａ、送信アンテナ２０ｂ、受信用ＲＦアンプ２１、検波回路２２、整流回路２３、積分回路２４、制御回路としての機能を有するマイクロコンピュータ２５、周波数４０．００ｋＨｚの正弦波発振器２６、出力強度調整回路２７ａ，２７ｂ、アナログスイッチ２８、および送信用ＲＦアンプ２９により構成されている。
そして、受信アンテナ２０ａ、受信用ＲＦアンプ２１、検波回路２２、整流回路２３、積分回路２４、およびマイクロコンピュータ２５により受信系回路が構成され、マイクロコンピュータ２５、正弦波発振器２６、出力強度調整回路２７ａ，２７ｂ、アナログスイッチ２８、送信用ＲＦアンプ２９、および送信アンテナ２０ｂにより送信系回路が構成される。
【００２９】
時刻信号中継装置２においては、受信アンテナ２０ａで受信された標準時刻電波信号Ｓ１は、受信用ＲＦアンプ２１、検波回路２２、整流回路２３、積分回路２４を通して、図２（ｂ）に示すような標準時刻電波信号Ｓ１のベースバンド信号に変換してマイクロコンピュータ２５に入力させる。
【００３０】
マイクロコンピュータ２５は、図４のフローチャートに示すように、まず、積分回路２４によるベースバンド信号を受けて、時刻コードをデコードし、時・分・００秒などの時刻データを得、内部時計を修正する（ＳＴ１）。
次に、あらかじめ決められた第１の送信時刻（たとえば午前２時３８分）帯および第２の送信時刻（たとえば午前２時４８分）帯には、内部時計が計時している時刻に基づいて、送信すべき時刻データを作成する（ＳＴ２）。
そして、この時刻データをベースバンド信号と同一フォーマットでアナログスイッチ２９の制御端子に、ゲートパルスＳ２５として出力して（ＳＴ３）、時刻電波信号Ｓ２ａまたはＳ２ｂを生成させて、電波修正時計３に送信させる。
【００３１】
出力強度調整回路２７ａは、電波修正時計３が時刻信号中継装置２の至近距離に設置されている場合に、電界強度が大きすぎて、入力飽和を起こし時刻信号中継装置による時刻電波信号を正常に受信できなくなることを防止するために、送信アンテナ２０ｂから送信される時刻電波信号Ｓ２ａの電界強度が第１の強度、たとえば−２０〜３０ｄＢとなるように、正弦波発振器２６から発振される発振信号Ｓ２６の出力レベルを調整してアナログスイッチ２８の端子ａに出力する。
【００３２】
出力強度調整回路２７ｂは、電波修正時計３が時刻信号中継装置２から比較的遠い位置に設置されている場合に、電界強度が小さすぎて時刻信号中継装置による時刻電波信号を正常に受信できなくなることを防止するために、送信アンテナ２０ｂから送信される時刻電波信号Ｓ２ｂの電界強度が第１の強度より大きい第２の強度、たとえば−３ｄＢとなるように、正弦波発振器２６から発振される発振信号Ｓ２６の出力レベルを調整してアナログスイッチ２８の端子ｂに出力する。
【００３３】
アナログスイッチ２８は、第１の送信時刻帯には出力端子ｃが入力端子ａに接続され、第２の送信時刻帯には出力端子ｃが入力端子ｂに接続されるように制御され、出力強度調整回路２７ａまたは出力強度調整回路２７ｂにおいてはレベル調整された正弦波発振器２６から発振される発振信号Ｓ２６を、マイクロコンピュータ２５によるゲートパルスＳ２５でオン・オフし、ＡＭ変調ＲＦ信号を得る。
このＡＭ変調ＲＦ信号は、送信用ＲＦアンプ２９で増幅され、送信アンテナ２０ｂから、図２（ａ）に示すようなフォーマットと同一フォーマットの電波信号Ｓ２ａまたはＳ２ｂとして送信される。
【００３４】
なお、時刻信号中継装置２は、電波信号Ｓ２ａおよびＳ２ｂを所定間隔で、終日送信するように構成することも可能であるが、電池電源での使用および標準時刻電波信号との混信を考慮して、本実施形態では、極めて特殊な時刻、たとえば午前２時３８分およびに午前２時４８分限って１日１回送信するように構成される。
【００３５】
図５は、本実施形態に係る時刻信号中継装置２における全体の動作を説明するためのフローチャートである。
【００３６】
図５に示すように、時刻信号中継装置２は、電源がオンされると、標準時刻電波信号Ｓ１を受信し、マイクロコンピュータ２５は内部時計を修正し（ＳＴ１１，ＳＴ１２）、内部時計をインクリメントする（ＳＴ１３）。
なお、「内部時計をインクリメントする」とは、受信した時刻データをもとに、時刻信号中継装置２の内部に設けた時計（マイクロコンピュータ２５のプログラム時計等）が時間をカウントしていることを示す。
【００３７】
次に、標準時刻電波信号Ｓ１の受信時刻、たとえば午前２時３６分であるか否かの判別を行い（ＳＴ１４）、受信時刻である場合には、標準時刻電波信号Ｓ１を受信し、内部時計を修正し、内部時計をインクリメントする（ＳＴ１５，ＳＴ１６）。
次いで、時刻電波信号の第１の送信時刻、たとえば午前２時３８分であるか否かの判別を行い（ＳＴ１７）、送信時刻である場合には、第１の強度の時刻電波信号Ｓ２ａを送信する（ＳＴ１８）。
そして、時刻電波信号の第２の送信時刻、たとえば午前２時４８分であるか否かの判別を行い（ＳＴ１９）、送信時刻である場合には、第２の強度の時刻電波信号Ｓ２ｂを送信する（ＳＴ２０）。
【００３８】
電波修正時計３は、原則的には、キー局１からＡＭ変調されて発信された所定周波数（４０ｋＨｚ）の時刻コードを含む標準時刻電波信号Ｓ１、または時刻信号中継装置２から送信された周波数４０ｋＨｚの時刻電波信号Ｓ２ａまたはＳ２ｂを受けて、標準時刻電波信号Ｓ１または電波信号Ｓ２ａまたはＳ２ｂの受信状態が良好な場合には、時刻コードが示す時刻に指針位置を修正し、受信状態が不良な場合には、ユーザーに電波受信が良好でない旨を報知する。
なお、電波修正時計３は、時刻信号中継装置２から第１の時間に送信された第１の強度の時刻電波信号Ｓ２ａをデコードし、時刻化が可能である場合には、指針位置をデコードした時刻に応じた位置に修正する。この場合には第２の時間に送信される第２の強度の時刻電波信号Ｓ２ｂの受信を行わない。
一方、時刻信号中継装置２から第１の時間に送信された第１の強度の時刻電波信号Ｓ２ａをデコードし、時刻化が不可能である場合には指針位置の修正を行わず、第２の時間に送信される第２の強度の時刻電波信号Ｓ２ｂの受信を行う。
【００３９】
図６は、本発明に係る電波修正時計の信号処理系回路の一実施形態を示すブロック構成図、図７は本発明に係る電波修正時計の指針位置検出装置の一実施形態の全体構成を示す断面図、図８は本発明に係る電波修正時計の指針位置検出装置の要部の平面図である。
【００４０】
図において、３０は信号処理系回路、３１は時刻電波信号受信系、３２はリセットスイッチ、３３は発振回路、３４は制御回路、３５はドライブ回路、３６は報知手段としての発光素子、３７はバッファ回路、３８はドライブ回路、ＶCCは電源電圧、Ｃ1 〜Ｃ3 はキャパシタ、Ｒ1 〜Ｒ8 は抵抗素子、１００は時計本体、２００は秒針駆動系、３００は第１の反射型光センサ、４００は分針駆動系、５００は時針車、６００は中間車としての日の裏車、７００は手動修正軸、８００は回転検出板、９００は第２の反射型光センサをそれぞれ示している。
【００４１】
時刻電波信号受信系３１は、受信アンテナ３１ａと、たとえばキー局から送信された時刻コード信号を含む長波（たとえば４０ｋＨｚ）を受信し所定の信号処理を行い、パルス信号Ｓ３１として制御回路３４に出力する長波受信回路３１ｂとから構成されている。長波受信回路３１ｂは、図示しないが時刻信号中継装置２の受信系同様に、ＲＦアンプ、検波回路、整流回路、および積分回路により構成される。
【００４２】
リセットスイッチ３２は、制御回路３４の各種状態を初期状態に戻すときにオンにされる。
このリセットスイッチ３２がオンされたとき、また図示しない電池をセットしたときに、本電波修正時計は初期修正モードになる。
【００４３】
発振回路３３は、水晶発振器ＣＲＹおよびキャパシタＣ2 ，Ｃ3 により構成され、所定周波数の基本クロックを制御回路３４に供給する。
【００４４】
制御回路３４は、図示しない分針カウンタ、秒針カウンタ、標準分・秒カウンタ等を有しており、初期修正モード時には、時刻電波信号受信系３１によるパルス信号Ｓ３１を受けて、たとえば、受信した標準時刻電波信号の受信状態をあらかじめ決められた基準範囲と比較し、受信状態が基準範囲内にある場合には、制御信号ＣＴＬ1,ＣＴＬ2 をバッファ３７を介して秒針用のステッピングモータ２１０および時分針用のステッピングモータ４１０に出力等して指針位置の初期設定をし、受信状態が基準範囲内にない場合には、制御信号ＣＴＬ1,ＣＴＬ2 を出力せずに、ドライブ信号ＤＲ1 をドライブ回路３５に出力して、報知手段としての発光素子３６を発光させてユーザーに電波受信がほとんどできない旨を報知させる。
また、受信状態が基準範囲内にある場合に指針位置を検出した後、受信した電波信号をデコードし、デコードの結果、時刻化が可能である（時刻データとして再生可能である）場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 をバッファ３７を介して秒針用のステッピングモータ２１０および時分針用のステッピングモータ４１０に出力して回転制御を行うことにより時刻修正制御を行う。
一方、デコードの結果、時刻化が不可能である場合には、制御信号ＣＴＬ1,ＣＴＬ2 を出力せずに、ドライブ信号ＤＲ1 をドライブ回路３５に出力して、報知手段としての発光素子３６を発光させてユーザーに電波受信が良好でない旨を報知させる。
これにより、初期修正モードの動作を完了させる。
【００４５】
また、制御回路３４は、初期修正モードの動作を完了させた後、通常修正モードの制御を行う。
通常修正モードにおいては、キー局１からの標準時刻電波信号Ｓ１を毎正時に受信可能なように毎正時を含む前後１分の間、時刻電波信号受信系３１に図示しない電源による駆動電力を供給させるとともに、時刻信号中継装置２からの第１の強度の時刻電波信号Ｓ２ａを受信可能なように午前２時３８分を含む前後１分の間、時刻電波信号受信系３１に図示しない電源による駆動電力を供給させる。
そして、制御回路３４は、時刻信号中継装置２から第１の時間に送信された第１の強度の時刻電波信号Ｓ２ａをデコードし、時刻化が可能である場合には、指針位置をデコードした時刻に応じた位置に修正する。
この場合には第２の時間に時刻信号中継装置２から送信される第２の強度の時刻電波信号Ｓ２ｂの受信を行わない。すなわち、午前２時４８分を含む前後１分の間、時刻電波信号受信系３１に図示しない電源による駆動電力を供給させない。
一方、時刻信号中継装置２から第１の時間に送信された第１の強度の時刻電波信号Ｓ２ａをデコードし、時刻化が不可能である場合には指針位置の修正を行わず、第２の時間に送信される第２の強度の時刻電波信号Ｓ２ｂの受信を行うべく、午前２時４８分を含む前後１分の間、時刻電波信号受信系３１に図示しない電源による駆動電力を供給させる。
そして、制御回路３４は、時刻信号中継装置２から第２の時間に送信された第２の強度の時刻電波信号Ｓ２ｂをデコードし、時刻化が可能である場合には、指針位置をデコードした時刻に応じた位置に修正する。
【００４６】
このように、制御回路３４は、標準時刻電波信号Ｓ１を受信するときに、たとえば時刻信号中継装置２からの電波信号Ｓ２ａ，Ｓ２ｂが妨害電波とならないように、キー局１からの標準時刻電波信号Ｓ１の受信可能時間帯と時刻信号中継装置２からの電波信号Ｓ２ａ，Ｓ２ｂの受信可能時間帯が異なるように制御する。
【００４７】
そして、制御回路３４は、通常修正モード時には、原則としてキー局１からの標準時刻電波信号Ｓ１を受信して電波信号をデコードし、デコードの結果、時刻化が可能である場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 をバッファ３７を介して秒針用のステッピングモータ２１０および時分針用のステッピングモータ４１０に出力して回転制御を行うことにより時刻修正制御を行うとともに、標準時刻電波を正常に受信したことを示す標準電波正常受信フラグをセットする。
標準電波正常受信フラグをセットした場合には、時刻信号中継装置２からの時刻電波信号Ｓ２ａの受信を行わず、すなわち、午前２時３８分を含む前後１分の間に、時刻電波信号受信系３１への図示しない電源による駆動電力の供給は行わせず、標準電波正常受信フラグをリセットして、毎正時のキー局１からの標準時刻電波信号Ｓ１を受信して時刻修正を行う。
【００４８】
一方、デコードの結果、時刻化が不可能である場合には、制御信号ＣＴＬ1,ＣＴＬ2 を出力せずに、たとえばドライブ信号ＤＲ1 をドライブ回路３５に出力して、報知手段としての発光素子３６を発光させてユーザーに電波受信が良好でない旨を報知させる。
この場合、上述したように、時刻信号中継装置２からの時刻電波信号Ｓ２ａの受信を行い、正常に受信した場合には、デコードの結果得られた時刻電波信号Ｓ２ａの時刻コードに応じて時刻修正を行う。
正常に受信できない場合には、時刻信号中継装置２の設置位置が不適当であるとして、制御信号ＣＴＬ1,ＣＴＬ2 を出力せずに、たとえばドライブ信号ＤＲ1 をドライブ回路３５に出力して、報知手段としての発光素子３６を発光させてユーザーに報知させる。
この時刻電波信号Ｓ２ａに基づき時刻化が不可能な場合には、上述したように第２の時間に送信される時刻電波信号Ｓ２ｂを受信し、時刻修正を行うが、この時刻電波信号Ｓ２ｂに基づいても時刻化が不可能な場合には、時刻信号中継装置２の設置位置が不適当であるとして、制御信号ＣＴＬ1,ＣＴＬ2 を出力せずに、たとえばドライブ信号ＤＲ1 をドライブ回路３５に出力して、報知手段としての発光素子３６を発光させてユーザーに報知させる。
そして、時刻修正終了後、または時刻信号中継装置２から第２の時間に送信される時刻電波信号Ｓ２ｂの受信が正常ではなく、発光素子３６を発光させてユーザーに報知させた場合等には、標準電波正常受信フラグをリセットして、毎正時のキー局１からの標準時刻電波信号Ｓ１を受信して時刻修正モードに戻る。
【００４９】
ドライブ回路３５はｎｐｎ型トランジスタＱ１および抵抗素子Ｒ1 ，Ｒ2 により構成されている。
トランジスタＱ１のコレクタが発光ダイオードからなる発光素子３６のカソードに接続され、エミッタが接地され、ベースが抵抗素子Ｒ2 を介して制御回路３４のドライブ信号ＤＲ1 の出力ラインに接続されている。
また、抵抗素子Ｒ1 が電源電圧ＶCCの供給ラインと発光素子３６のアノードに接続されている。
すなわち、発光素子３６は、制御回路３４からハイレベルのドライブ信号ＤＲ1 が出力されたときに発光するようにドライブ回路３５に接続されている。
【００５０】
また、ドライブ回路３８は、ｎｐｎ型トランジスタＱ２，Ｑ３、および抵抗素子Ｒ5 〜Ｒ8 により構成されている。
【００５１】
時計本体１００は、図７に示すように、下板１１０と上板１３０とで形成される空間内のほぼ中央部に下板１１０と連結した状態で中板１２０が配設され、空間内の下板１１０、中板１２０、上板１３０の所定の位置に対して、秒針駆動系２００、第１の反射型光センサ３００、第２の駆動系４００、時針車５００、日の裏車６００、手動修正軸７００および第２の反射型光センサ９００が固定あるいは軸支されている。
【００５２】
秒針駆動系２００は、第１のステッピングモータ２１０、第１の５番車２２０および秒針車２３０により構成されている。
第１のステッピングモータ２１０は、ステータ２１０ａが下板１１０に載置され、ロータ２１０ｂが下板１１０と上板１３０とに軸支されており、バッファ回路３７を介して入力される制御回路３４の出力制御信号ＣＴＬ1 に基づいて回転方向、回転角度および回転速度が制御される。
【００５３】
第１の５番車２２０は、下板１１０および上板１３０に軸支され、輪歯部分が第１のステッピングモータ２１０のロータ２１０ｂと噛合されて、ロータ２１０ｂの回転速度を所定速度に減速させる。
この第１の５番車２２０は、たとえば１５秒に１回転するように構成されており、秒針車２３０との重合領域の一部にはスリット状の透孔２２０ａが形成されている。
【００５４】
秒針車２３０は、その軸部の一端が上板１３０に軸支され、他端側は中板１２０を下板１１０側に貫通し、その他端側には秒針軸２３０ａが圧入されている。
秒針軸２３０ａは、後記する下板１１０を貫通し時計の文字板などが形成される表面側に突出した分針パイプ４４０ａの貫通口４４０ｂに貫挿されており、その先端には図示しない秒針が取り付けられる。
秒針車２３０は、６０秒に１回転するように、秒針カナが第１の５番車２２０のカナと噛合されている。
また、秒針車２３０の第１の５番車２２０との重合領域の一部には、第１の５番車２２０に形成された透孔２２０ａと対向するように光反射面２３０ｂが形成されている。
このような秒針駆動系２００は、光反射面２３０ｂが透孔２２０ａと互いに重ね合わされた状態、すなわち正対した状態のときに、秒針が正時を指すように構成されている。
【００５５】
第１の反射型光センサ３００は、発光ダイオードからなる発光素子３１０とｎｐｎ形トランジスタからなる受光素子３２０とが並設され、これら発光素子３１０の発光部および受光素子３２０の受光面が、上板１３に形成された透孔１３０ａを介し、さらに第１の５番車２２０の透孔２２０ａを介して秒針車２３０の光反射面２３０ｂが形成された面を臨むように上板１３０上に配設されている。
【００５６】
第１の反射型光センサ３００の発光素子３１０のアノードは一端が電源電圧ＶCCに接続されたドライブ回路３８における抵抗素子Ｒ5 の他端に接続され、カソードは同じくドライブ回路３８に配設されたドライバトランジスタＱ２のコレクタに接続されている。
このドライバトランジスタＱ２のエミッタは接地され、ベースは抵抗素子Ｒ6 を介して制御回路３４のドライブ信号ＤＲ2 の出力ラインに接続されている。
すなわち、発光素子３１０は、制御回路３４からハイレベルのドライブ信号ＤＲ2 が出力されたときに発光するようにドライブ回路３８に接続されている。
【００５７】
第１の反射型光センサ３００の受光素子３２０のコレクタは抵抗素子Ｒ3 を介して電源電圧ＶCCに接続されているとともに、制御回路３４に接続され、エミッタは接地されている。
すなわち、受光素子３２０は、発光素子３１０から発せられた光が、透孔１３０ａ，２２０ａを介して秒針車２３０に到達し、かつ、光反射面２３０ｂで反射された光を透孔１３０ａ，２２０ａを介して受光素子３２０で受光したときにのみ、検出信号ＤＴ2 をローレベルで制御回路１４に入力させる。
【００５８】
分針駆動系４００は、第２のステッピングモータ４１０、第２の５番車４２０、３番車４３０および分針車４４０により構成されている。
第２のステッピングモータ４１０は、ステータ４１０ａが下板１１０に載置され、ロータ４１０ｂが下板１１０と上板１３０とに軸支されており、バッファ回路３７を介して入力される制御回路３４の出力制御信号ＣＴＬ2 に基づいて回転方向、回転角度および回転速度が制御される。
【００５９】
第２の５番車４２０は、下板１１０および上板１３０に軸支され、輪歯部分が第２のステッピングモータ４１０のロータ４１０ｂと噛合されて、ロータ４１０ｂの回転速度を所定速度に減速させる。
【００６０】
３番車４３０は、軸部の一端が上板１３０に軸支され、他端側が中板１２０を貫通した状態で配設されており、輪歯部分が第２の５番車４２０のカナ部と噛合されている。
【００６１】
分針車４４０は、中央部に貫通口４４０ｂが形成された略Ｔ字形状をなし、分針パイプ４４０ａの一端が中板１２０に軸支され、他端側の軸部は下板１１０を貫通し時計の文字板などが形成される表面側に突出した時針車５００の時針パイプ５００ａの貫通口５００ｂに貫挿されており、その先端には図示しない分針が取り付けられる。
分針車４４０は、６０分に１回転するように構成されており、また、上述したように貫通口４４０ｂには秒針軸２３０ａが貫挿されており、その輪歯部分は、３番車４３０のカナ部と噛合されている。
このような分針車４４０は、いわゆるスリップ機構を備えていることになる。
【００６２】
時針車５００は、中央部に貫通口５００ｂが形成された略Ｔ字形状をなし、輪歯部分が時計本体１００内に配設され、時針パイプ５００ａは下板１１０を貫通して時計の文字板側に突出しており、その先端には図示しない時針が取り付けられる。
時針車５００は、１時間で３０°回転し、１２時間で１回転するように構成されており、また、上述したように貫通口５００ｂには分針パイプ４４０ａが貫挿されている。
時針車５００の分針車４４０との対向面５００ｃには、第１の光伝達部としての透孔５００ｄが形成されている。
この時針車５００の透孔５００ｄは、図９に示すように、時針車５００の周方向に３０°ずつ１２等分にした位置のうちの１箇所を除く１１箇所に形成される。すなわち、１２時間のうちの１時間だけ分の位置検出が行われないように構成されている。
【００６３】
日の裏車６００は、下板１１０に形成された突部１１０ａに対して軸支されており、輪歯部分が分針車４４０の分針パイプ４４０ａと噛合され、カナ部が時針車５００の輪歯部分と噛合されており、分針車４４０の回転速度を所定速度に減速して時針車５００に伝達する。
また、日の裏車６００は、Ｎ（Ｎは正の整数）時間に１回転するように構成されており、その輪歯部分は、手動修正軸７００の修正カナ７００ａと噛合し、かつ一部が回転検出板８００の一部と対向するように配設されている。
【００６４】
手動修正軸７００は、略Ｔ字形状をなし、その先端の修正カナ７００ａは上板１３０に形成された開口１３０ｂを貫挿した状態で下板１１０に形成された突部１１０ｂに対して軸支されており、頭部７００ｂは上板１３０から時計本体１００外に突出した状態で配置されている。
手動修正軸７００は、分針車４４０と同位相で、６０分に１回転するように構成されており、上述したように修正カナ７００ａに日の裏車６００の輪歯部分が噛合され、分針駆動系４００により分針車４４０が駆動されているときには日の裏車６００を介して分針車４４０と同相で回転するとともに、分針駆動系４００の非作動時には、頭部７００ｂを回転させることにより指針位置を手動修正可能に構成されている。
【００６５】
回転検出板８００は、円板状をなし、その中央部は分針車４４０の回転に応じて回転するように、分針車４４０と時針車５００との間の分針車４４０の軸部に対し軸を略一致させて固定されている。
また、回転検出板８００の時針車５００の面５００ｃと対向する領域の一部には図１０に示すように透孔５００ｄと対向するように、第２の光伝達部としての光反射面８００ａが形成されている。
【００６６】
第２の反射型光センサ９００は、発光ダイオードからなる発光素子９１０とｎｐｎ形トランジスタからなる受光素子９２０とが並設され、これら発光素子９１０の発光部および受光素子９２０の受光面が、下板１１０に形成された透孔１１０ｃを介し、さらに時針車５００に形成された透孔５００ｄを介し、回転検出板８００の光反射面８００ａが形成された面８００ｂを臨むように下板１１０上に配設されている。
【００６７】
第２の反射型光センサ９００の発光素子９１０のアノードは一端が電源電圧ＶCCに接続されたドライブ回路３８における抵抗素子Ｒ7 の他端に接続され、カソードは同じくドライブ回路３８に配設されたドライバトランジスタＱ３のコレクタに接続されている。
このドライバトランジスタＱ３のエミッタは接地され、ベースは抵抗素子Ｒ8 を介して制御回路３４のドライブ信号ＤＲ3 の出力ラインに接続されている。
すなわち、発光素子９１０は、制御回路３４からハイレベルのドライブ信号ＤＲ3 が出力されたときに発光するようにドライブ回路３８に接続されている。
【００６８】
第２の反射型光センサ９００の受光素子９２０のコレクタは抵抗素子Ｒ4 を介して電源電圧ＶCCに接続されているとともに、制御回路３４に接続され、エミッタは接地されている。
すなわち、受光素子９２０は、発光素子９１０から発せられた光が、透孔５００ｄを介して回転検出板８００の面８００ｂに到達し、かつ、光反射面８００ａで反射された光を透孔５００ｄを介して受光素子９２０で受光したときにのみ、検出信号ＤＴ2 をローレベルで制御回路３４に入力させる。
【００６９】
なお、回転検出板８００の光反射面８００ａと時針車５００の透孔５００ｄとの関係は、光反射面８００ａが透孔５００ｄと正対した状態のときに、図示しない分針および時針が正時を指すように設定されている。
【００７０】
次に、上記構成による時刻修正制御動作を説明する。
なお、ここでは、分針系の通常モード動作を例に説明する。
【００７１】
キー局１から、図２（ａ）に示すようなフォーマットを有する長波（４０ｋＨｚ）の標準時刻電波Ｓ１がＡＭ変調されて発信される。
キー局１から発信された標準時刻電波信号Ｓ１は、時刻信号中継装置２および電波修正時計３の受信アンテナ２０ａおよび３１ａで受信される。
【００７２】
時刻信号中継装置２においては、受信アンテナ２０ａで受信された標準時刻電波Ｓ１は、受信用ＲＦアンプ２１、検波回路２２、整流回路２３、積分回路２４を通して、図２（ｂ）に示すような標準時刻電波信号Ｓ１のベースバンド信号に変換されてマイクロコンピュータ２５に入力される。
【００７３】
マイクロコンピュータ２５では、積分回路２４によるベースバンド信号を受けて、時刻コードをデコードし、時・分・００秒などの時刻データが得られ、内部時計が修正される。
そして、あらかじめ決められた第１の送信時刻（たとえば午前２時３８分）帯および第２の送信時刻（たとえば午前２時４８分）帯には、内部時計が計時している時刻に基づいて、送信すべき時刻データが作成される。
この時刻データがベースバンド信号と同一フォーマットでアナログスイッチ２８の制御端子に、ゲートパルスＳ２５として出力される。
アナログスイッチ２８では、第１の送信時刻帯には出力端子ｃが入力端子ａに接続され、第２の送信時刻帯には出力端子ｃが入力端子ｂに接続される。
したがって、第１の送信時刻帯には、出力強度調整回路２７ａにおいてはレベル調整された正弦波発振器２６から発振される発振信号Ｓ２６が、マイクロコンピュータ２５によるゲートパルスＳ２５でオン・オフされ、ＡＭ変調ＲＦ信号が得られる。
このＡＭ変調ＲＦ信号は、送信用ＲＦアンプ２９で増幅され、送信アンテナ２０ｂから、図２（ａ）に示すようなフォーマットと同一フォーマットで第１の強度の時刻電波信号Ｓ２ａとして送信される。
【００７４】
次いで、第２の送信時刻帯には、出力強度調整回路２７ｂにおいてはレベル調整された正弦波発振器２６から発振される発振信号Ｓ２６が、マイクロコンピュータ２５によるゲートパルスＳ２５でオン・オフされ、ＡＭ変調ＲＦ信号が得られる。
このＡＭ変調ＲＦ信号は、送信用ＲＦアンプ２９で増幅され、送信アンテナ２０ｂから、図２（ａ）に示すようなフォーマットと同一フォーマットで第２の強度の時刻電波信号Ｓ２ｂとして送信される。
【００７５】
電波修正時計３では、制御回路３４において、キー局１からの標準時刻電波信号Ｓ１を毎正時に受信可能なように毎正時を含む前後１分の間、時刻電波信号受信系３１に図示しない電源による駆動電力を供給させる。
これにより、時刻電波信号受信系３１の受信アンテナ３１ａで受信されたキー局からの時刻コード信号を含む長波（たとえば４０ｋＨｚ）が長波受信回路３１ｂで所定の信号処理を受けて、パルス信号Ｓ３１として制御回路３４に出力される。
【００７６】
制御回路３４では、受信した電波信号がデコードされ、デコードの結果、正常受信であると判別した場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 がバッファ３７を介して秒針用のステッピングモータ２１０および時分針用のステッピングモータ４１０に出力されて回転制御を行うことにより時刻修正制御が行われる。
そして、標準時刻電波を正常に受信したことを示す標準電波正常受信フラグがセットされる。
【００７７】
標準時刻電波信号Ｓ１の受信時刻ではなく、また、正常受信ではないと判別した場合、または標準電波正常受信フラグをセットした場合には、時刻信号中継装置２からの時刻電波信号Ｓ２ａの受信時刻である午前２時３８分（前後１分も含む）であるか否かの判別が行われる。
ここで、時刻電波信号Ｓ２ａの受信時刻であると判別した場合であって、標準電波正常受信フラグがセットされていると、午前２時３８分を含む前後１分の間に、時刻電波信号受信系３１への図示しない電源による駆動電力の供給は行われず、標準電波正常受信フラグがリセットされて通常処理に移行する。
【００７８】
一方、標準電波正常受信フラグがセットされていない場合には、時刻信号中継装置２からの時刻電波信号Ｓ２ａを受信可能なように午前２時３８分を含む前後１分の間、時刻電波信号受信系３１に図示しない電源による駆動電力が供給される。
このとき、正常受信である場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 がバッファ３７を介して秒針用のステッピングモータ２１０および時分針用のステッピングモータ４１０に出力されて回転制御を行うことにより時刻修正制御が行われる。
この場合、電波修正時計３は時刻信号中継装置２から比較的至近距離に配置されており、正常に受信ができたことから、時刻信号中継装置２から第２の時間に送信される第２の強度の時刻電波信号の受信は行われない。すなわち、午前２時４８分を含む前後１分の間、時刻電波信号受信系３１に図示しない電源による駆動電力の供給は行われない。
【００７９】
また、時刻信号中継装置２から第１の時間に送信された第１の強度の時刻電波信号Ｓ２ａをデコードした結果、時刻化が不可能である場合には指針位置の修正は行われず、第２の時間に送信される第２の強度の時刻電波信号Ｓ２ｂの受信が行われる。すなわち、午前２時４８分を含む前後１分の間、時刻電波信号受信系３１に図示しない電源による駆動電力が供給される。
そして、制御回路３４は、時刻信号中継装置２から第２の時間に送信された第２の強度の時刻電波信号Ｓ２ｂがデコードされ、時刻化が可能である場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 がバッファ３７を介して秒針用のステッピングモータ２１０および時分針用のステッピングモータ４１０に出力されて回転制御を行うことにより時刻修正制御が行われる。
この場合、電波修正時計３は時刻信号中継装置２から遠い位置に配置されている。
【００８０】
一方、正常受信でない場合には、時刻信号中継装置２の設置位置が不適当であるとして、制御信号ＣＴＬ1,ＣＴＬ2 を出力せずに、たとえばドライブ信号ＤＲ1 がドライブ回路３５に出力されて、発光素子３６が発光されて、ユーザに報知される。
【００８１】
以上説明したように、本実施形態によれば、時刻信号中継装置２を、キー局１からＡＭ変調されて発信された所定周波数（４０ｋＨｚ）の時刻コードを含む標準時刻電波信号Ｓ１を受信し、受信した標準時刻電波信号が含む時刻コードに応じた時刻に内部時計を修正し、あらかじめ決められた第１および第２の送信時間帯においては、それぞれ標準時刻電波信号と同じ周波数帯域に含まれる周波数４０ｋＨｚを有し、かつベースバンド信号と同一フォーマットを持ち、修正後の内部時計に基づいて時刻コードを含み、かつ電界強度が異なる第１の強度の時刻電波信号Ｓ２ａおよび第２の強度の時刻電波信号Ｓ２ｂを生成し、至近距離あるいは遠い位置に設置される電波修正時計３に送信するように構成したので、指向性を考慮する等の煩雑な手間を要せず、電波修正時計の配置位置にかかわりなく中継電波を正常に受信することができる利点がある。
【００８２】
また、第１の時間に強度の弱い時刻電波信号Ｓ２ａを送信し、その後第２の時間の強度の強い時刻電波信号Ｓ２ｂを送信するので、電波修正時計側３では、時刻電波信号Ｓ２ａを正常に受信でき、時刻修正が可能な場合には、第２の時間に送信される時刻電波信号Ｓ２ｂの受信を行わないようにでき、効率の良い受信を行え、また、消費電力の削減を実現できる利点がある。
【００８３】
なお、本実施形態では、時刻信号中継装置２において、第１の強度の時刻電波信号Ｓ２ａの送信時間と、第２の強度の時刻電波信号Ｓ２ｂの送信時間とを２回に分けて送信を行うようにしたが、たとえば、図１１に示すように、１回の送信で複数回データを送り、何回かは第１の強度の時刻電波信号Ｓ２ａを送信し、続けて何回かは第２の強度の時刻電波信号Ｓ２ｂを送信するように構成することも可能である。この場合も第１の強度の電波信号と第２の強度の電波信号は異なる時間帯に送信されることにはなるが、時間管理としては１回の送信時間の管理を行えばいいことになる。
【００８４】
具体的には、図１１に示すように、時刻信号中継装置２は、電源がオンされると、標準時刻電波信号Ｓ１を受信し、マイクロコンピュータ２５は内部時計を修正し（ＳＴ３１，ＳＴ３２）、内部時計をインクリメントする（ＳＴ３３）。
【００８５】
次に、標準時刻電波信号Ｓ１の受信時刻、たとえば午前２時３６分であるか否かの判別を行い（ＳＴ３４）、受信時刻である場合には、標準時刻電波信号Ｓ１を受信し、内部時計を修正し、内部時計をインクリメントする（ＳＴ３５，ＳＴ３６）。
次いで、時刻電波信号の送信時刻、たとえば午前２時３８分であるか否かの判別を行い（ＳＴ３７）、送信時刻である場合には、第１の強度の時刻電波信号Ｓ２ａを、連続的にＮ回送信する（ＳＴ３８，ＳＴ３９）。
そして、第１の強度の時刻電波信号Ｓ２ａをＮ回送信に引き続いて第２の強度の時刻電波信号Ｓ２ｂをＮ回送信する（ＳＴ４０，ＳＴ４１）。
【００８６】
このような送信形態をとっても、上述したと同様に、指向性を考慮する等の煩雑な手間を要せず、電波修正時計の配置位置にかかわりなく中継電波を正常に受信することができる利点がある。
また、電波修正時計側３では、時刻電波信号Ｓ２ａを正常に受信でき、時刻修正が可能な場合には、第２の時間に送信される時刻電波信号Ｓ２ｂの受信を行わないようにでき、効率の良い受信を行え、また、消費電力の削減を実現できる利点がある。
【００８７】
また、本実施形態では、制御回路３４は、時刻化ができるか否かを判別し、できる場合に指針位置の修正を行い、できない場合にはその旨を発光素子３６を点灯させて報知するので、電波の受信状態を稼働時ならばいつでも認識できる利点がある。
【００８８】
【発明の効果】
以上説明したように、本発明によれば、煩雑な手間を要せず、電波修正時計の配置位置にかかわりなく中継電波を正常に受信することができる利点がある。
【００８９】
また、第１の時間に強度の弱い時刻電波信号を送信し、その後第２の時間の強度の強い時刻電波信号を送信するので、電波修正時計側では、強度の弱い時刻電波信号を正常に受信でき、時刻修正が可能な場合には、第２の時間に送信される時刻電波信号の受信を行わないようにでき、効率の良い受信を行え、また、消費電力の削減を実現できる利点がある。
【図面の簡単な説明】
【図１】本発明に係る時刻信号中継装置を適用した時刻修正システムの一実施形態を示すブロック図である。
【図２】本発明に係る時刻信号中継装置を適用した時刻修正システムの要部波形を示す図である。
【図３】標準時刻電波信号Ｓ１の時刻コードの一例を示す図である。
【図４】本発明に係る時刻信号中継装置におけるマイクロコンピュータの処理の概要を説明するためのフローチャートである。
【図５】本発明に係る時刻信号中継装置における全体の動作を説明するためのフローチャートである。
【図６】本発明に係る電波修正時計の信号処理系回路の一実施形態を示すブロック構成図である。
【図７】本発明に係る電波修正時計の指針位置検出装置の一実施形態の全体構成を示す断面図である。
【図８】本発明に係る電波修正時計の指針位置検出装置の要部の平面図である。
【図９】本発明に係る時針車の透孔の形成パターン例を示す図である。
【図１０】本発明に係る回転検出板の光反射面の形成パターン例を示す図である。
【図１１】本発明に係る時刻信号中継装置における第１および第２の強度の電波信号の他の送信形態を説明するためのフローチャートである。
【符号の説明】
１…電波発信基地（キー局）
２，２Ａ…時刻信号中継装置
２０ａ…受信アンテナ
２０ｂ…送信アンテナ
２１…受信用ＲＦアンプ
２２…検波回路
２３…整流回路
２４…積分回路
２５…マイクロコンピュータ
２６…周波数４０．００ｋＨｚの正弦波発振器
２７ａ，２７ｂ…出力強度調整回路
２８…アナログスイッチ
２９…送信用ＲＦアンプ
３…電波修正時計
３０…信号処理系回路
３１…時刻電波信号受信系
３２…強制受信モード信号発生部
３３…発振回路
３４…制御回路
３５…ドライブ回路
３６…報知手段としての発光素子
３７…バッファ回路
３８…ドライブ回路
１００…時計本体
１１０…下板
１２０…中板
１３０…上板
２００…秒針駆動系
２１０…第１のステッピングモータ
２２０…第２の５番車
２２０ａ…透孔
２３０…秒針車
２３０ｂ…光反射面
３００…第１の反射型光センサ
４００…分針駆動系
４１０…第２のステッピングモータ
４２０…第２の５番車
４３０…３番車
４４０…分針車
４４０ａ…分針パイプ
５００…時針車
５００ｄ…透孔
６００…日の裏車（中間車）
７００…手動修正軸
８００…回転検出板
８００ａ…光反射面
９００…第２の反射型光センサ
ＶCC…電源電圧
Ｃ1 〜Ｃ3 …キャパシタ
Ｒ1 〜Ｒ8 …抵抗素子
【図１】
0003650554.tif 000005
【図２】
0003650554.tif 000006
【図３】
0003650554.tif 000007
【図４】
0003650554.tif 000008
【図５】
0003650554.tif 000009
【図６】
0003650554.tif 000010
【図７】
0003650554.tif 000011
【図８】
0003650554.tif 000012
【図９】
0003650554.tif 000013
【図１０】
0003650554.tif 000014
【図１１】
0003650554.tif 000015